(57)【要約】【課題】収納や保管に便利でかつ洗浄効率が良好な洗濯ネットを提供する。【解決手段】洗濯ネット１は、対向する２本の長辺を有する平行四辺形状の網目状部材２と、網目状部材２に設けられたファスナ対３ａ、３ｂとを備える。ファスナ対３ａ、３ｂの一方３ａ及び他方３ｂは、網目状部材２の一方の長辺の中点から外周に沿って他方の長辺の中点に至る２つの経路のうちの一方及び他方にそれぞれ沿って設けられ、網目状部材２は、ファスナ対３ａ、３ｂが閉じられたときに三角錐形状を形成する。【選択図】図１
2014128303.tif 000002
【特許請求の範囲】
【請求項１】
対向する２本の長辺を有する平行四辺形状の網目状部材と、
前記網目状部材に設けられたファスナ対とを備え、
前記ファスナ対の一方及び他方は、前記網目状部材の一方の長辺の中点から外周に沿って他方の長辺の中点に至る２つの経路のうちの一方及び他方にそれぞれ沿って設けられ、
前記網目状部材は、前記ファスナ対が閉じられたときに三角錐形状を形成することを特徴とする洗濯ネット。
【請求項２】
前記網目状部材は、二重になっていて、その一方の長辺側の鈍角をなす角部と他方の長辺の中点とを結ぶ線と、該他方の長辺の中点と該一方の長辺の中点とを結ぶ線と、該一方の長辺の中点と該他方の長辺側の鈍角をなす角部とを結ぶ線とによって、前記三角錐形状の４つの面を形成する４つの三角形状の袋状部分に分割され、
各袋状部分の内側には、該袋状部分が形成する前記三角錐形状の各面の芯となる芯部材が配置されることを特徴とする請求項１に記載の洗濯ネット。
【請求項３】
各袋状部分の芯部材は、該袋状部分の三辺に内接する径を有する円環状の部材であることを特徴とする請求項２に記載の洗濯ネット。
【請求項４】
前記網目状部材の三角錐形状の内側となる側の面において、該網目状部材の一方の長辺側の鈍角をなす角部と他方の長辺の中点とを結ぶ線、該他方の長辺の中点と該一方の長辺の中点とを結ぶ線、又は該一方の長辺の中点と該他方の長辺側の鈍角をなす角部とを結ぶ線に沿って、該網目状部材に両端が固定された固定紐が洗濯物を固定するために設けられ、
前記固定紐は、留め具により分離及び連結自在であることを特徴とする請求項１〜３のいずれか１項に記載の洗濯ネット。
【発明の詳細な説明】
【技術分野】
【０００１】
本発明は、洗濯ネットに関する。
【背景技術】
【０００２】
従来、電気洗濯機を用いて洗濯を行うとき、洗濯物の型崩れや絡まりの防止、薄い生地の保護等を目的として、洗濯ネットが用いられる。このような洗濯ネットとして、例えば平行四辺形の２枚の可撓性の網状布を縫合して正四面体の袋状体を構成し、その一辺にファスナを設けたものが知られている（例えば、特許文献１参照）。
【０００３】
これによれば、正四面体の形状と可撓性の網状布の作用により、洗濯ネットが水流で良好に揉まれるので、洗浄効率が良好となる。また、平行四辺形の網状布を材料として用いて洗濯ネットを構成しているので、材料の無駄がなく、生産性も良好である。
【０００４】
また、別の形態の洗濯ネットとして、メッシュ生地で構成した方形の袋を、三角形状の３つ又は４つの袋部に区分し、各袋部を一条のファスナで開閉できるようにしたものも知られている（例えば、特許文献２参照）。これによれば、各袋部を洗濯物の種類毎に使い分けて洗濯の質や利便性を向上させることができる。また、一条のファスナで一気にすべての袋部を開閉できるので、袋部の開閉に手間を要することもない。
【先行技術文献】
【特許文献】
【０００５】
【特許文献１】実開昭５６−１５９０７４号公報
【特許文献２】実開平１−１３８３８２号公報
【発明の概要】
【発明が解決しようとする課題】
【０００６】
しかしながら、特許文献１の洗濯ネットによれば、使用していないときでも袋状体が正四面体の形状を保持するので、収納や保管に不便である。また、特許文献２の洗濯ネットによれば、各袋部が平面的なものであるため、特許文献１の洗濯ネットのような良好な洗浄効率を得ることができない。
【０００７】
本発明の目的は、かかる従来技術の問題点に鑑み、収納や保管に便利でかつ洗浄効率が良好な洗濯ネットを提供することにある。
【課題を解決するための手段】
【０００８】
本発明の洗濯ネットは、対向する２本の長辺を有する平行四辺形状の網目状部材と、前記網目状部材に設けられたファスナ対とを備え、前記ファスナ対の一方及び他方は、前記網目状部材の一方の長辺の中点から外周に沿って他方の長辺の中点に至る２つの経路のうちの一方及び他方にそれぞれ沿って設けられ、前記網目状部材は、前記ファスナ対が閉じられたときに三角錐形状を形成することを特徴とする。
【０００９】
本発明によれば、洗濯ネットを使用する際には、展開状態にある洗濯ネットの一方の面が内側になるようにファスナ対を閉じることによって、網目状部材で三角錐形状が形成される。洗濯物は、ファスナ対を完全に閉じる前に、網目状部材の内側に入れることができる。
【００１０】
上述のようにしてファスナ対が閉じられた洗濯ネットは、三角錐形状を有するので、これを用いて洗濯機により洗濯を行うとき、良好な洗浄効率を得ることができる。また、洗濯ネットは、使用しないときには、ファスナ対を完全に開くことにより、平行四辺形状に展開した状態とすることができるので、保管や収納、清掃等において有利である。
【００１１】
本発明において、前記網目状部材は、二重になっていて、その一方の長辺側の鈍角をなす角部と他方の長辺の中点とを結ぶ線と、該他方の長辺の中点と該一方の長辺の中点とを結ぶ線と、該一方の長辺の中点と該他方の長辺側の鈍角をなす角部とを結ぶ線とによって、前記三角錐形状の４つの面を形成する４つの三角形状の袋状部分に分割され、各袋状部分の内側には、該袋状部分が形成する前記三角錐形状の各面の芯となる芯部材が配置されてもよい。
【００１２】
これによれば、洗濯ネットのファスナ対を閉じることにより網目状部材で形成された三角錐形状を、各袋状部分の内側に配置された芯部材により、洗濯機の水流に拘わらず維持することができる。これにより、洗浄効率や洗濯物の保護機能をさらに向上させることができる。
【００１３】
本発明において、各袋状部分の芯部材は、該袋状部分の三辺に接する径を有する円環状部材であってもよい。これによれば、洗濯時の洗濯ネットの三角錐形状を円環状部材により良好に維持しながら、洗濯機の水流を円環状部材の内側を通して洗濯ネット内にスムーズに流通させることができる。これにより、洗浄効率や洗濯物の保護機能の向上をより容易に実現することができる。
【００１４】
本発明において、前記網目状部材の三角錐形状の内側となる側の面に、該網目状部材の一方の長辺側の鈍角をなす角部と他方の長辺の中点とを結ぶ線、該他方の長辺の中点と該一方の長辺の中点とを結ぶ線、又は該一方の長辺の中点と該他方の長辺側の鈍角をなす角部とを結ぶ線に沿って、該網目状部材に両端が固定された帯紐状の固定紐が洗濯物を固定するために設けられ、前記固定紐は、留め具により分離及び連結自在であってもよい。
【００１５】
これによれば、洗濯物を洗濯ネットの三角錐形状内の一定位置に保持して型崩れ等からより高度に保護しながら、より高い洗浄効率で洗濯することができる。
【図面の簡単な説明】
【００１６】
【図１】本発明の一実施形態に係る洗濯ネットの展開した状態を示す正面図である。
【図２】図１の洗濯ネットの背面図である。
【図３】図１の洗濯ネットの使用時の状態を示す斜視図である。
【発明を実施するための形態】
【００１７】
以下、図面を用いて本発明の実施形態を説明する。図１は、本発明の一実施形態に係る洗濯ネットの展開した状態を示す正面図である。図１に示すように、洗濯ネット１は、対向する２本の長辺を有する平行四辺形状の網目状部材２と、網目状部材２に設けられたファスナ対３ａ、３ｂとを備える。
【００１８】
ファスナ対３ａ、３ｂのうちの一方３ａは、網目状部材２の一方の長辺の中点から外周に沿って他方の長辺の中点に至る２つの経路のうちの一方に沿って設けられる。ファスナ対３ａ、３ｂのうちの他方３ｂは、該２つの経路のうちの他方に沿って設けられる。
【００１９】
網目状部材２の一方の長辺の中点及び他方の長辺の中点が、それぞれファスナ対３ａ、３ｂの起点４ａ及び終点４ｂとなる。ファスナ対３ａ、３ｂには、それを開閉するためのスライダ５が設けられる。スライダ５を起点４ａまで移動させると、ファスナ対３ａ、３ｂは完全に開かれ、スライダ５を終点４ｂまで移動させると、ファスナ対３ａ、３ｂは完全に閉じられる。
【００２０】
網目状部材２の長辺は、短辺の２倍の長さを有する。長辺と短辺とが成す鋭角側の角度は、ほぼ６０°である。網目状部材２は、ファスナ対３ａ、３ｂが閉じられると正四面体形状を形成し、開かれると、平行四辺形状に展開し得る状態となる。網目状部材２は、その平行四辺形状の形に切り取った２枚の網目状の生地（メッシュ生地）を重ねてその外周を相互に縫合することにより形成され、二重になっている。
【００２１】
網目状部材２は、その一方の長辺側の鈍角をなす角部と他方の長辺の中点（終点４ｂ）とを結ぶ縫合線５ａと、該他方の長辺の中点と該一方の長辺の中点（起点４ａ）とを結ぶ縫合線５ｂと、該一方の長辺の中点と該他方の長辺側の鈍角をなす角部とを結ぶ縫合線５ｃとによって、４つの正三角形状の袋状部分２ａ〜２ｄに分割される。４つの袋状部分２ａ〜２ｄによって、上述の正四面体形状を構成する４つの面がそれぞれ形成される。
【００２２】
各袋状部分２ａ〜２ｄの内側には、袋状部分２ａ〜２ｄが形成する正四面体形状の各４面の芯となる芯部材６が配置される。芯部材６は、正三角形状の袋状部分２ａ〜２ｄの三辺にほぼ接する円環状の形状を有する。芯部材６は、例えば合成樹脂で形成することができる。
【００２３】
なお、芯部材６は、上述のように各４面の芯となり得るものであれば、円環状のものに限らず、他の形状のものであってもよい。ただし、洗濯機における水流が、正四面体形状となっている洗濯ネット１内を通過するのを妨害するものであってはならない。
【００２４】
図２は、洗濯ネット１の展開した状態における背面図である。図２に示すように、網目状部材２の隣接する袋状部分２ａ〜２ｄの各境界線上には、縁取り７が縫合される。この縫合線により、網目状部材２が、袋状部分２ａ〜２ｄに分割されている。また、網目状部材２の外周部は、縁取り７を縫い合わせることによって強化される。
【００２５】
また、起点４ａから網目状部材２の鈍角をなす角部に至る縁取り７の部分には、両端が該縁取り７とともに網目状部材２に縫合された帯紐状の固定紐８が設けられる。固定紐８は、洗濯物として、例えばブラジャーのカップ等を固定するために用いられる。固定紐８は、ボタンやホック等の留め具８ａにより中央部で分離及び連結自在である。
【００２６】
ブラジャーのカップの固定は、固定紐８を分離した状態で２つのカップをそれぞれ袋状部分２ｃ及び２ｄ上に配置し、そして固定紐８を連結して２つのカップの谷部分を固定紐８で固定することにより、容易に行うことができる。なお、固定紐８は、起点４ａと終点４ｂとを結ぶ線、又は終点４ｂと網目状部材２の他方の鈍角をなす角部とを結ぶ線に沿って設けてもよい。また、複数のブラジャーを重ねて固定紐８により固定してもよい。
【００２７】
なお、袋状部分２ａ〜２ｄの間は、完全に分離されている必要はなく、各袋状部分２ａ〜２ｄの芯部材６が逸脱して他の袋状部分２ａ〜２ｄに移動することがない程度に、二重の網目状部材２を縫い合わせておく程度でもよい。
【００２８】
図３は、洗濯ネット１の使用時の状態を示す斜視図である。洗濯ネット１を使用する際には、展開状態にある洗濯ネット１の図２で表示されている側の面が内側になるようにして、ファスナ対３ａ、３ｂが閉じられる。これにより、洗濯ネット１は、図３のような正四面体形状に形成される。洗濯物は、ファスナ対３ａ、３ｂを完全に閉じる前に、洗濯ネット１の内側に入れることができる。
【００２９】
このようにしてファスナ対３ａ、３ｂが閉じられた洗濯ネット１が洗濯機に入れられて、洗濯ネット１内の洗濯物についての洗濯が行われる。この間、各袋状部分２ａ〜２ｄの芯部材６により、洗濯ネット１の正四面体形状が維持される。これにより、洗濯ネット１内の洗濯物の絡まりや傷みが防止される。
【００３０】
また、洗濯ネット１が正四面体形状に維持されるので、常に洗濯ネット１内の洗濯物に対して水流が満遍なく行き渡る。これにより、洗濯物の洗浄効率が高く維持される。洗濯が終了して洗濯機から取り出された洗濯ネット１は、ファスナ対３ａ、３ｂが開かれ、洗濯済みの洗濯物が取り出され、平行四辺形状に展開される。その後、洗濯ネット１は、例えば、洗濯竿等に掛けて干された後、折り畳まれて収納される。
【００３１】
以上のように、本実施形態によれば、洗濯ネット１の使用時の形状が正四面体形状であり、さらに芯部材６によりこの形状が維持されるので、洗濯物の絡まりや傷みを防止し、洗浄効率を向上させることができる。また、洗濯ネット１は、使用しないときにはファスナ対３ａ、３ｂを完全に開いて展開できるので、保管や収納、清掃等における利便性も高い。
【００３２】
また、各袋状部分２ａ〜２ｄの芯部材６として、各袋状部分２ａ〜２ｄの三辺に接する径を有する円環状部材を採用したので、洗濯時の洗濯ネット１の正四面体形状を芯部材６により良好に維持しながら、洗濯機の水流を円環状の芯部材６の内側を通して洗濯ネット１内にスムーズに流通させることができる。これにより、洗浄効率や洗濯物の保護機能の向上をより容易に実現することができる。
【００３３】
また、袋状部分２ｃ及び２ｄの境界線上に固定紐８を設けたので、洗濯物としてのブラジャーを、洗濯ネット１の正四面体形状内の一定位置に保持して型崩れ等からより高度に保護しながら、より高い洗浄効率で洗濯することができる。
【００３４】
なお、本発明は、上述の実施形態に限定されない。例えば、洗濯ネットを構成する網目状部材の平行四辺形の形状は、その鋭角が６０°以外の角度であってもよい。また、該形状の長辺は、短辺の２倍以外の長さであってもよい。これらの場合、洗濯ネットの使用時の形状は、正四面体以外の三角錐の形状となる。
【００３５】
また、上記実施形態では、二重の網目状部材２を用いて袋状部分２ａ〜２ｄを設け、その中に芯部材６を配置して洗濯ネット１を構成しているが、この代わりに、一重の網目状部材とファスナ対のみで洗濯ネットを構成してもよい。
【００３６】
また、各袋状部分２ａ〜２ｄ内に配置される芯部材は、上述の円環状の芯部材６に限らず、三角形状のものや、多角形状のものであってもよい。
【符号の説明】
【００３７】
１…洗濯ネット、２…網目状部材、３ａ、３ｂ…ファスナ対、２ａ〜２ｄ…袋状部分、５ａ〜５ｃ…縫合線（線）、６…芯部材、８…固定紐、８ａ…留め具。
【図１】
2014128303.tif 000003
【図２】
2014128303.tif 000004
【図３】
2014128303.tif 000005